【手続補正書】
【提出日】令和3年11月29日(2021.11.29)
【手続補正１】
【補正対象書類名】特許請求の範囲
【補正対象項目名】全文
【補正方法】変更
【補正の内容】
【特許請求の範囲】
【請求項１】
反応性基を有する重量平均分子量（Ｍｗ）が１，０００，０００〜５，０００，０００でｚ平均分子量（Ｍｚ）と重量平均分子量（Ｍｗ）との比（Ｍｚ／Ｍｗ）が１．３以上であるアクリルゴムからなり比重が０．８以上であるアクリルゴムベール。
【請求項２】
メチルエチルケトン不溶解分のゲル量が、２０重量％以下である請求項１に記載のアクリルゴムベール。
【請求項３】
灰分量が、０．５重量％以下である請求項１又は２に記載のアクリルゴムベール。
【請求項４】
灰分中のナトリウム、イオウ、カルシウム、マグネシウム及びリンからなる群から選ばれる少なくとも１種の元素の含有量が、７０重量％以上である請求項１〜３のいずれか１項に記載のアクリルゴムベール。
【請求項５】
アクリルゴムベールの６０℃における複素粘性率（［η］６０℃）が、１５，０００Ｐａ・ｓ以下である請求項１〜４のいずれか１項に記載のアクリルゴムベール。
【請求項６】
アクリルゴムベールの１００℃における複素粘性率（［η］１００℃）と６０℃における複素粘性率（［η］６０℃）との比（［η］１００℃／［η］６０℃）が、０．８以上である請求項１〜５のいずれか１項に記載のアクリルゴムベール。
【請求項７】
アクリルゴムベールのムーニー粘度（ＭＬ１＋４，１００℃）が、１０〜１５０の範囲である請求項１〜６のいずれか１項に記載のアクリルゴムベール。
【請求項８】
アクリルゴムが、リン酸系乳化剤または硫酸系乳化剤を乳化剤として使用し乳化重合したものである請求項１〜７のいずれか１項に記載のアクリルゴムベール。
【請求項９】
アクリルゴムが、ラジカル発生剤と少なくとも２種の還元剤からなるレドックス触媒で重合したものである請求項１〜８のいずれか１項に記載のアクリルゴムベール。
【請求項１０】
アクリルゴムが、乳化重合した重合液をアルカリ金属塩または周期表第２族金属塩を凝固剤として使用することにより凝固させ、乾燥したものである請求項１〜９のいずれか１項に記載のアクリルゴムベール。
【請求項１１】
アクリルゴムが、凝固後に減圧下で乾燥されたものである請求項１〜１０のいずれか１項に記載のアクリルゴムベール。
【請求項１２】
アクリルゴムが、凝固後に溶融混錬され乾燥されたものである請求項１〜１１のいずれか１項に記載のアクリルゴムベール。
【請求項１３】
前記溶融混錬が、実質的に水分を含まない状態で行われたものである請求項１２に記載のアクリルゴムベール。
【請求項１４】
前記乾燥が、スクリュー型押出機で行われたものである請求項１０〜１３のいずれか１項に記載のアクリルゴムベール。
【請求項１５】
前記乾燥後に、５０℃／ｈｒ以上の冷却速度で冷却されたものである請求項１０〜１４のいずれか１項に記載のアクリルゴムベール。
【請求項１６】
（メタ）アクリル酸エステルと反応性基含有単量体とを含む単量体成分を水と乳化剤とでエマルジョン化し重合触媒存在下に重合転化率が９０重量％以上まで乳化重合し乳化重合液を得る乳化重合工程と、
得られた乳化重合液と凝固液を接触させて含水クラムを生成する凝固工程と、
生成した含水クラムを洗浄する洗浄工程と、
洗浄した含水クラムを、スクリュー型押出機を用いて含水量１重量％未満まで乾燥して乾燥ゴムを押し出す乾燥工程と、
押し出された乾燥ゴムを積層してベール化するベール化工程と、
を含むアクリルゴムベールの製造方法。
【請求項１７】
請求項１〜１５のいずれか１項に記載のアクリルゴムベールを製造する請求項１６に記載のアクリルゴムベールの製造方法。
【請求項１８】
押し出される乾燥ゴムがシート状乾燥ゴムであり、ベール化がシート状乾燥ゴムを積層するものである請求項１６又は１７に記載のアクリルゴムベールの製造方法。
【請求項１９】
請求項１〜１５のいずれか１項に記載のアクリルゴムベールに、充填剤及び架橋剤を混合してなるゴム混合物。
【請求項２０】
充填剤が、補強性充填剤である請求項１９に記載のゴム混合物。
【請求項２１】
充填剤が、カーボンブラックである請求項１９に記載のゴム混合物。
【請求項２２】
充填剤が、シリカである請求項１９に記載のゴム混合物。
【請求項２３】
架橋剤が、多価アミン化合物、カルボン酸アンモニウム塩、ジチオカルバミン酸金属塩またはトリアジンチオール化合物である請求項１９〜２２のいずれか１項に記載のゴム混合物。
【請求項２４】
老化防止剤を、さらに混合してなる請求項１９〜２３のいずれか１項に記載のゴム混合物。
【請求項２５】
老化防止剤が、アミン系老化防止剤である請求項２４に記載のゴム混合物。
【請求項２６】
請求項１〜１５のいずれか１項に記載のアクリルゴムベールに、充填剤、架橋剤及び必要に応じて老化防止剤を混合機を用いて混合することを特徴とするゴム混合物の製造方法。
【請求項２７】
請求項１〜１５のいずれか１項に記載のアクリルゴムベールと充填剤と必要に応じて老化防止剤を混合した後に架橋剤を混合するゴム混合物の製造方法。
【請求項２８】
請求項１９〜２５のいずれか１項に記載のゴム混合物を架橋してなるゴム架橋物。
【請求項２９】
架橋が、一次架橋と二次架橋をするものである請求項２８に記載のゴム架橋物。
【請求項３０】
請求項１９〜２５のいずれか１項に記載のゴム混合物を一次架橋した後に二次架橋するゴム架橋物の製造方法。
【手続補正２】
【補正対象書類名】明細書
【補正対象項目名】００１７
【補正方法】変更
【補正の内容】
【００１７】
本発明のアクリルゴムベールにおいて、アクリルゴムベールの１００℃における複素粘性率（［η］１００℃）と６０℃における複素粘性率（［η］６０℃）との比（［η］１００℃／［η］６０℃）が、０．８以上であることが好ましい。
本発明のアクリルゴムベールにおいて、アクリルゴムベールのムーニー粘度（ＭＬ１＋４，１００℃）が、１０〜１５０の範囲であることが好ましい。
【手続補正３】
【補正対象書類名】明細書
【補正対象項目名】００１８
【補正方法】変更
【補正の内容】
【００１８】
本発明のアクリルゴムベールにおいて、アクリルゴムが、リン酸系乳化剤または硫酸系乳化剤を乳化剤として使用し乳化重合したものであることが好ましい。
本発明のアクリルゴムベールにおいて、アクリルゴムが、ラジカル発生剤と少なくとも２種の還元剤からなるレドックス触媒で重合したものであることが好ましい。
本発明のアクリルゴムベールにおいて、アクリルゴムが、乳化重合した重合液をアルカリ金属塩または周期表第２族金属塩を凝固剤として使用することにより凝固させ、乾燥したものであることが好ましい。
本発明のアクリルゴムベールにおいて、アクリルゴムが、凝固後に減圧下で乾燥されたものであることが好ましい。
本発明のアクリルゴムベールにおいて、アクリルゴムが、凝固後に溶融混錬され乾燥されたものであることが好ましい。
本発明のアクリルゴムベールにおいて、前記溶融混錬が、実質的に水分を含まない状態で行われたものであることが好ましい。
本発明のアクリルゴムベールにおいて、前記乾燥が、スクリュー型押出機で行われたものであることが好ましい。
本発明のアクリルゴムベールにおいて、前記乾燥後に、５０℃／ｈｒ以上の冷却速度で冷却されたものであることが好ましい。
【手続補正４】
【補正対象書類名】明細書
【補正対象項目名】００１９
【補正方法】変更
【補正の内容】
【００１９】
本発明によれば、また、（メタ）アクリル酸エステルと反応性基含有単量体とを含む単量体成分を水と乳化剤とでエマルジョン化し重合触媒存在下に重合転化率が９０重量％以上まで乳化重合し乳化重合液を得る乳化重合工程と、得られた乳化重合液と凝固液を接触させて含水クラムを生成する凝固工程と、生成した含水クラムを洗浄する洗浄工程と、洗浄した含水クラムを、スクリュー型押出機を用いて含水量１重量％未満まで乾燥して乾燥ゴムを押し出す乾燥工程と、押し出された乾燥ゴムを積層してベール化するベール化工程と、を含むアクリルゴムベールの製造方法が提供される。
本発明のアクリルゴムベールの製造方法において、上記のアクリルゴムベールを製造することが好ましい。
【手続補正５】
【補正対象書類名】明細書
【補正対象項目名】００２１
【補正方法】変更
【補正の内容】
【００２１】
本発明によれば、また、前記アクリルゴムベールに、充填剤及び架橋剤を混合してなるゴム混合物が提供される。
本発明のゴム混合物において、充填剤が、補強性充填剤であることが好ましい。
本発明のゴム混合物において、充填剤が、カーボンブラックであることが好ましい。
本発明のゴム混合物において、充填剤が、シリカであることが好ましい。
本発明のゴム混合物において、架橋剤が、多価アミン化合物、カルボン酸アンモニウム塩、ジチオカルバミン酸金属塩またはトリアジンチオール化合物であることが好ましい。
本発明のゴム混合物において、老化防止剤を、さらに混合してなることが好ましい。
本発明のゴム混合物において、老化防止剤が、アミン系老化防止剤であることが好ましい。
本発明によれば、また、上記のアクリルゴムベールと充填剤と必要に応じて老化防止剤を混合した後に架橋剤を混合するゴム混合物の製造方法が提供される。
【手続補正６】
【補正対象書類名】明細書
【補正対象項目名】００２２
【補正方法】変更
【補正の内容】
【００２２】
本発明によれば、さらに、前記ゴム混合物を架橋してなるゴム架橋物が提供される。
本発明のゴム架橋物において、架橋が、一次架橋と二次架橋をするものであることが好ましい。
本発明によれば、さらに、上記のゴム混合物を一次架橋した後に二次架橋するゴム架橋物の製造方法が提供される。
【手続補正７】
【補正対象書類名】明細書
【補正対象項目名】００２３
【補正方法】変更
【補正の内容】
【００２３】
本発明によれば、強度特性と保存安定性に優れるアクリルゴムベール、その製造方法、該アクリルゴムベールを混合してなるゴム混合物及びそれを架橋してなるゴム架橋物及びその製造方法が提供される。